(57)【要約】【課題】乗客に対し手が引き込まれたことを認知させることで、ドアから手を離して引き抜き動作を促すようにしたエレベータのドア装置を得る。【解決手段】かご出入口柱２のかごの戸３側の面２ａ及びかご出入口側の面２ｂに跨るコーナー部を切り欠いて形成されたかご側引き込まれ認知用空間部７と、かご出入口柱に設けられ、かご側引き込まれ認知用空間部のかご出入口側の面を覆うように配置された弾性体からなるかご側引き込まれ認知体８とを備え、かご側引き込まれ認知体は、引き込まれが発生した時、かご側引き込まれ認知用空間部の内側に押されて変位し、初期段階としての引き込まれを認知させるとともに、更に引き込まれると、内側に大きく変形し、かご側引き込まれ認知用空間部を通して内部に隠蔽されているかご出入口柱の引込み面２ｄに当って次段階としての引き込まれを認知させる。【選択図】図２
2010105800.tif 000002
【特許請求の範囲】
【請求項１】
かごの出入口に設けられたかご出入口柱と、かごの出入口を開閉するかごの戸と、乗場出入口に設けられた乗場三方枠と、乗場出入口を開閉する乗場の戸とを備えたエレベータのドア装置において、
前記かご出入口柱のかごの戸側の面及びかご出入口側の面に跨るコーナー部を切り欠くことにより形成されたかご側引き込まれ認知用空間部と、
前記かご出入口柱に設けられ、前記かご側引き込まれ認知用空間部のかご出入口側の面を常時覆うように配置された弾性体からなるかご側引き込まれ認知体とを備え、
前記かご側引き込まれ認知体は、かごの戸とかご出入口柱の隙間に引き込まれが発生した時、前記かご側引き込まれ認知用空間部の内側に押されて変位することにより、初期段階としての引き込まれを認知させるとともに、更に引き込まれると、内側に大きく変形することにより、前記かご側引き込まれ認知用空間部を通して内部に隠蔽されているかご出入口柱の引込み面に当って次段階としての引き込まれを認知させることを特徴とするエレベータのドア装置。
【請求項２】
かごの出入口に設けられたかご出入口柱と、かごの出入口を開閉するかごの戸と、乗場出入口に設けられた乗場三方枠と、乗場出入口を開閉する乗場の戸とを備えたエレベータのドア装置において、
前記乗場三方枠の乗場の戸側の面及び乗場出入口側の面に跨るコーナー部を切り欠くことにより形成された乗場側引き込まれ認知用空間部と、
前記乗場三方枠に設けられ、前記乗場側引き込まれ認知用空間部の乗場出入口側の面を常時覆うように配置された弾性体からなる乗場側引き込まれ認知体とを備え、
前記乗場側引き込まれ認知体は、乗場の戸と乗場三方枠の隙間に引き込まれが発生した時、前記乗場側引き込まれ認知用空間部の内側に押されて変位することにより、初期段階としての引き込まれを認知させるとともに、更に引き込まれると、内側に大きく変形することにより、前記乗場側引き込まれ認知用空間部を通して内部に隠蔽されている乗場三方枠の引込み面に当って次段階としての引き込まれを認知させることを特徴とするエレベータのドア装置。
【請求項３】
かごの出入口に設けられたかご出入口柱と、かごの出入口を開閉するかごの戸と、乗場出入口に設けられた乗場三方枠と、乗場出入口を開閉する乗場の戸とを備えたエレベータのドア装置において、
前記かご出入口柱のかごの戸側の面及びかご出入口側の面に跨るコーナー部を切り欠くことにより形成されたかご側引き込まれ認知用空間部と、
前記かご出入口柱に設けられ、前記かご側引き込まれ認知用空間部のかご出入口側の面を常時覆うように配置された弾性体からなるかご側引き込まれ認知体と、
前記乗場三方枠の乗場の戸側の面及び乗場出入口側の面に跨るコーナー部を切り欠くことにより形成された乗場側引き込まれ認知用空間部と、
前記乗場三方枠に設けられ、前記乗場側引き込まれ認知用空間部の乗場出入口側の面を常時覆うように配置された弾性体からなる乗場側引き込まれ認知体とを備え、
前記かご側引き込まれ認知体は、かごの戸とかご出入口柱の隙間に引き込まれが発生した時、前記かご側引き込まれ認知用空間部の内側に押されて変位することにより、初期段階としての引き込まれを認知させるとともに、更に引き込まれると、内側に大きく変形することにより、前記かご側引き込まれ認知用空間部を通して内部に隠蔽されているかご出入口柱の引込み面に当って次段階としての引き込まれを認知させ、
前記乗場側引き込まれ認知体は、乗場の戸と乗場三方枠の隙間に引き込まれが発生した時、前記乗場側引き込まれ認知用空間部の内側に押されて変位することにより、初期段階としての引き込まれを認知させるとともに、更に引き込まれると、内側に大きく変形することにより、前記乗場側引き込まれ認知用空間部を通して内部に隠蔽されている乗場三方枠の引込み面に当って次段階としての引き込まれを認知させることを特徴とするエレベータのドア装置。
【請求項４】
かご側引き込まれ認知体は、かご側引き込まれ認知用空間部のかご出入口側の面を常時覆うように配置された弾性体からなるかご側第１引き込まれ認知体と、前記かご側第１引き込まれ認知体と一体に設けられ、かごの戸とかご出入口柱の隙間に引き込まれが発生した時、前記かご側第１引き込まれ認知体が内側に押されて変位すると、連動して移動・変形してかご出入口柱の引込み面に当ってかごの戸側に向かって延び、かごの戸とかご出入口柱の隙間を塞ぐかご側第２引き込まれ認知体とからなることを特徴とする請求項１記載のエレベータのドア装置。
【請求項５】
乗場側引き込まれ認知体は、乗場側引き込まれ認知用空間部の乗場出入口側の面を常時覆うように配置された弾性体からなる乗場側第１引き込まれ認知体と、前記乗場側第１引き込まれ認知体と一体に設けられ、乗場の戸と乗場三方枠の隙間に引き込まれが発生した時、前記乗場側第１引き込まれ認知体が内側に押されて変位すると、連動して移動・変形して乗場三方枠の引込み面に当って乗場の戸側に向かって延び、乗場の戸と乗場三方枠の隙間を塞ぐ乗場側第２引き込まれ認知体とからなることを特徴とする請求項２記載のエレベータのドア装置。
【請求項６】
かご側引き込まれ認知体は、かご側引き込まれ認知用空間部のかご出入口側の面を常時覆うように配置された弾性体からなるかご側第１引き込まれ認知体と、前記かご側第１引き込まれ認知体と一体に設けられ、かごの戸とかご出入口柱の隙間に引き込まれが発生した時、前記かご側第１引き込まれ認知体が内側に押されて変位すると、連動して移動・変形してかご出入口柱の引込み面に当ってかごの戸側に向かって延び、かごの戸とかご出入口柱の隙間を塞ぐかご側第２引き込まれ認知体とからなり、乗場側引き込まれ認知体は、乗場側引き込まれ認知用空間部の乗場出入口側の面を常時覆うように配置された弾性体からなる乗場側第１引き込まれ認知体と、前記乗場側第１引き込まれ認知体と一体に設けられ、乗場の戸と乗場三方枠の隙間に引き込まれが発生した時、前記乗場側第１引き込まれ認知体が内側に押されて変位すると、連動して移動・変形して乗場三方枠の引込み面に当って乗場の戸側に向かって延び、乗場の戸と乗場三方枠の隙間を塞ぐ乗場側第２引き込まれ認知体とからなることを特徴とする請求項３記載のエレベータのドア装置。
【請求項７】
既設エレベータのかご出入口柱のかご出入口側の面の反かごの戸側に追加部材を後付けすることにより、かご側引き込まれ認知用空間部を形成することを特徴とする請求項１又は請求項４記載のエレベータのドア装置。
【請求項８】
既設エレベータの乗場三方枠の乗場出入口側の面の反乗場の戸側に追加部材を後付けすることにより、乗場側引き込まれ認知用空間部を形成することを特徴とする請求項２又は請求項５記載のエレベータのドア装置。
【請求項９】
既設エレベータのかご出入口柱のかご出入口側の面の反かごの戸側に追加部材を後付けすることにより、かご側引き込まれ認知用空間部を形成し、既設エレベータの乗場三方枠の乗場出入口側の面の反乗場の戸側に追加部材を後付けすることにより、乗場側引き込まれ認知用空間部を形成することを特徴とする請求項３又は請求項６記載のエレベータのドア装置。
【発明の詳細な説明】
【技術分野】
【０００１】
この発明は、エレベータのドア装置に関し、特に戸開時にドアの隙間に手が引き込まれるのを防止するものである。
【背景技術】
【０００２】
図９は従来のエレベータのドア装置を示すエレベータ装置の横断面図である。図において、１はエレベータのかご、２はかご１の出入口の両側部に設けられたかご出入口柱、３はかご１の出入口を開閉するかごの戸、４は乗場出入口、５は乗場出入口４に設けられた乗場三方枠、６は乗場出入口４を開閉する乗場の戸である。
エレベータのかごの戸３と乗場の戸６は連動して開く構成にしてあり、かごの戸３とかご出入口柱２の間及び乗場の戸６と乗場三方枠５の間は、かごの戸３と乗場の戸６が可動できるようにするために隙間をもって設定されている。
従来のエレベータのドア装置においては、上記のように構成されているため、例えば、図１０に示すように、可動側の乗場の戸６に手を当てたまま、乗場の戸６が矢印の開方向に移動すると、図１１に示すように、乗場の戸６と乗場三方枠５との隙間に手が引き込まれる問題がある。特に、可動側の乗場の戸６は上端部をドアハンガーで吊下げ支持され、下端部を敷居溝内に摺動案内され、薄鋼板を折り曲げた構造であるため、手が引き込まれると、大きく撓んで乗場の戸６と乗場三方枠５との隙間が大きくなり易い。したがって、手が引き込まれると、更に隙間が大きく広げられ、手が引き込まれる隙間が益々拡大されるという問題があった。なお、可動側のかごの戸３とかご出入口柱２の間の場合も全く同様のことが言える。
【０００３】
また、従来技術として、引き戸の戸開動作時に相対変位部材との隙間に乗客の指先等の異物が異常接近した場合に、異物により覆い板が弾性変形して作動体を押圧し検出器が動作して引き戸の戸開動作を異常時制御するエレベータの戸開時引き込まれ検出装置が提案されている(例えば、特許文献１参照)。また、他の従来技術として、スライドドアの表側壁面と縦枠の戸閉方向側垂直端面とがなす乗場側コーナー部にその上下方向に沿って照射光および反射光を通過させる光電スイッチを配置するとともに、照射光と反射光およびその周囲を覆うことで光路として遮蔽するゴムチューブ（光路カバー）を縦枠の上下方向に沿って配置し、戸開動作中に異物がゴムチューブに当接もしくは圧接すると、ゴムチューブが変形して照射光または反射光を遮ることで光電スイッチが検出動作してスライドドアの戸開動作を停止するエレベータドアの引き込まれ防止装置が提案されている(例えば、特許文献２参照)。
【０００４】
【特許文献１】特開２００４−１８２６１号公報
【特許文献２】特開２００７−９１３８５号公報
【発明の開示】
【発明が解決しようとする課題】
【０００５】
従来技術であるエレベータの戸開時引き込まれ検出装置では、異物により覆い板が弾性変形して作動体を押圧し検出器が動作し、制御装置が作動して引き戸の戸開を停止したり、引き戸を反転戸閉させたりする異常時制御が行われるので、万一、何らかの理由で検出器が不動作であった場合には手指の引き込まれを防止することができなかった。また、他の従来技術であるエレベータドアの引き込まれ防止装置では、光電スイッチやゴムチューブ（光路カバー）等の構成要素が必要であり、また万一、何らかの理由で光電スイッチが不動作であった場合には手指の引き込まれを防止することができなかった。
【０００６】
この発明は、上述のような課題を解決するためになされたもので、戸開時の引き込まれを機械的又は電気的な検出器や光電スイッチ等に依存するのではなく、乗客に対し手が引き込まれたことを認知させることで、ドアから手を離して引き抜き動作を促すようにしたエレベータのドア装置を提供するものである。
【課題を解決するための手段】
【０００７】
この発明に係るエレベータのドア装置は、かごの出入口に設けられたかご出入口柱と、かごの出入口を開閉するかごの戸と、乗場出入口に設けられた乗場三方枠と、乗場出入口を開閉する乗場の戸とを備えたものにおいて、かご出入口柱のかごの戸側の面及びかご出入口側の面に跨るコーナー部を切り欠くことにより形成されたかご側引き込まれ認知用空間部と、かご出入口柱に設けられ、かご側引き込まれ認知用空間部のかご出入口側の面を常時覆うように配置された弾性体からなるかご側引き込まれ認知体とを備え、かご側引き込まれ認知体は、かごの戸とかご出入口柱の隙間に引き込まれが発生した時、かご側引き込まれ認知用空間部の内側に押されて変位することにより、初期段階としての引き込まれを認知させるとともに、更に引き込まれると、内側に大きく変形することにより、かご側引き込まれ認知用空間部を通して内部に隠蔽されているかご出入口柱の引込み面に当って次段階としての引き込まれを認知させるものである。
【０００８】
また、乗場三方枠の乗場の戸側の面及び乗場出入口側の面に跨るコーナー部を切り欠くことにより形成された乗場側引き込まれ認知用空間部と、乗場三方枠に設けられ、乗場側引き込まれ認知用空間部の乗場出入口側の面を常時覆うように配置された弾性体からなる乗場側引き込まれ認知体とを備え、乗場側引き込まれ認知体は、乗場の戸と乗場三方枠の隙間に引き込まれが発生した時、乗場側引き込まれ認知用空間部の内側に押されて変位することにより、初期段階としての引き込まれを認知させるとともに、更に引き込まれると、内側に大きく変形することにより、乗場側引き込まれ認知用空間部を通して内部に隠蔽されている乗場三方枠の引込み面に当って次段階としての引き込まれを認知させるものである。
【０００９】
また、かご側引き込まれ認知体は、かご側引き込まれ認知用空間部のかご出入口側の面を常時覆うように配置された弾性体からなるかご側第１引き込まれ認知体と、かご側第１引き込まれ認知体と一体に設けられ、かごの戸とかご出入口柱の隙間に引き込まれが発生した時、かご側第１引き込まれ認知体が内側に押されて変位すると、連動して移動・変形してかご出入口柱の引込み面に当ってかごの戸側に向かって延び、かごの戸とかご出入口柱の隙間を塞ぐかご側第２引き込まれ認知体とからなるものである。
【００１０】
また、乗場側引き込まれ認知体は、乗場側引き込まれ認知用空間部の乗場出入口側の面を常時覆うように配置された弾性体からなる乗場側第１引き込まれ認知体と、乗場側第１引き込まれ認知体と一体に設けられ、乗場の戸と乗場三方枠の隙間に引き込まれが発生した時、乗場側第１引き込まれ認知体が内側に押されて変位すると、連動して移動・変形して乗場三方枠の引込み面に当って乗場の戸側に向かって延び、乗場の戸と乗場三方枠の隙間を塞ぐ乗場側第２引き込まれ認知体とからなるものである。
【００１１】
また、既設エレベータのかご出入口柱のかご出入口側の面の反かごの戸側に追加部材を後付けすることにより、かご側引き込まれ認知用空間部を形成するものである。
【００１２】
また、既設エレベータの乗場三方枠の乗場出入口側の面の反乗場の戸側に追加部材を後付けすることにより、乗場側引き込まれ認知用空間部を形成するものである。
【発明の効果】
【００１３】
この発明によれば、戸開時の引き込まれを機械的又は電気的な検出器や光電スイッチ等に依存するのではなく、乗客に対し手が引き込まれたことを認知させることにより、自力で引き込まれを二段構えによって未然に防止することができる。
【発明を実施するための最良の形態】
【００１４】
実施の形態１．
図１はこの発明の実施の形態１におけるエレベータのドア装置を備えたエレベータ装置を乗場側から見た正面図、図２はこの発明の実施の形態１におけるエレベータのドア装置を備えたエレベータ装置の横断面図、図３はこの発明の実施の形態１におけるエレベータのドア装置の戸開時の引き込まれ初期の状態を示す要部拡大断面図、図４はこの発明の実施の形態１におけるエレベータのドア装置の戸開時の引き込まれた状態を示す要部拡大断面図である。
【００１５】
図において、１はエレベータのかご、２はかご１の出入口の両側部に設けられたかご出入口柱、３はかご１の出入口を開閉するかごの戸、４は乗場出入口、５は乗場出入口４に設けられた乗場三方枠、６は乗場出入口４を開閉する乗場の戸である。７はかご出入口柱２のかごの戸３側の面２ａ及びかご出入口柱２のかご出入口側の面２ｂに跨るコーナー部をそれぞれ約１／２ずつ切り欠くことにより形成されたかご側引き込まれ認知用空間部で、かご出入口柱２の上下方向に延長するように設けられている。このかご側引き込まれ認知用空間部７は、かご出入口柱２のかごの戸３側の面２ａより所定の間隔を置いてほぼ平行に引込んだかご出入口柱２の引込み面２ｃと、かご出入口柱２のかご出入口側の面２ｂより所定の間隔を置いてほぼ平行に引込んだかご出入口柱２の引込み面２ｄとからなるＬ字状の二面により形成されている。８はかご側引き込まれ認知用空間部７を形成するかご出入口柱２の引込み面２ｃに取付部が固着されて、かご側引き込まれ認知用空間部７のかご出入口面全体を覆うように設けられたＬ字状のかご側第１引き込まれ認知体である。このかご側第１引き込まれ認知体８は、容易に変形する弾性体から構成されている。なお、上記かご側引き込まれ認知用空間部７を形成するかご出入口柱２の引込み面２ｄは、常時はかご側第１引き込まれ認知体８で覆われているために内部に隠蔽されて見えないが、手が引き込まれた時に、かご側第２引き込まれ認知体を構成するものであり、剛性を持った鋼板で構成されている。すなわち、かご側第２引き込まれ認知体を構成するかご出入口柱２の引込み面２ｄは、戸開時、かごの戸３とかご出入口柱２の間に手が引き込まれることによって、かご側第１引き込まれ認知体８が変位した後、更に手が引き込まれると、剛性のあるかご出入口柱２の引込み面２ｄに手が突き当ることにより、乗客に引き込まれたことを認知させて、手を抜こうとする動作を促すことにより、機械的又は電気的な検出器や光電スイッチ等に頼らず自力で引き込まれを防止することができる。
また、９は乗場三方枠５の乗場の戸６側の面５ａ及び乗場三方枠５の乗場出入口４側の面５ｂに跨るコーナー部をそれぞれ約１／２ずつ切り欠くことにより形成された乗場側引き込まれ認知用空間部で、乗場三方枠５の上下方向に延長するように設けられている。この乗場側引き込まれ認知用空間部９は、乗場三方枠５の乗場の戸６側の面５ａより所定の間隔を置いてほぼ平行に引込んだ乗場三方枠５の引込み面５ｃと、乗場三方枠５の乗場出入口４側の面５ｂより所定の間隔を置いてほぼ平行に引込んだ乗場三方枠５の引込み面５ｄとからなるＬ字状の二面により形成されている。１０は乗場側引き込まれ認知用空間部９を形成する乗場三方枠５の引込み面５ｃに取付部が固着されて、乗場側引き込まれ認知用空間部９の乗場出入口４面全体を覆うように設けられたＬ字状の乗場側第１引き込まれ認知体である。この乗場側第１引き込まれ認知体１０は、容易に変形する弾性体から構成されている。なお、上記乗場側引き込まれ認知用空間部９を形成する乗場三方枠５の引込み面５ｄは、常時は乗場側第１引き込まれ認知体１０で覆われているために内部に隠蔽されて見えないが、手が引き込まれた時に、乗場側第２引き込まれ認知体を構成するものであり、剛性を持った鋼板で構成されている。すなわち、乗場側第２引き込まれ認知体を構成する乗場三方枠５の引込み面５ｄは、戸開時、乗場の戸６と乗場三方枠５の間に手が引き込まれることによって、乗場側第１引き込まれ認知体１０が変位した後、更に手が引き込まれると、剛性のある乗場三方枠５の引込み面５ｄに手が突き当ることにより、乗客に引き込まれたことを認知させて、手を抜こうとする動作を促すことにより、機械的又は電気的な検出器や光電スイッチ等に頼らず自力で引き込まれを防止することができる。
【００１６】
次に、この発明のエレベータのドア装置による戸開時の引き込まれ防止動作について、図３、図４により説明する。なお、ここでは、乗場の戸６と乗場三方枠５の間に手が引き込まれる場合について説明するが、かごの戸３とかご出入口柱２の間に手が引き込まれる場合も同様である。
エレベータのドア装置による戸開時の引き込まれ初期の状態では、図３に示すように、乗場の戸６と乗場三方枠５の間に手が引き込まれると、Ｌ字状の乗場側第１引き込まれ認知体１０が押されてＶ字状に変位して、乗場の戸６と乗場側第１引き込まれ認知体１０の間に手が挟まれるので、乗客に手が引き込まれたことを初期段階として認知させることができ、ここで手を抜ことする動作を促すことにより、機械的又は電気的な検出器や光電スイッチ等に頼らず自力で引き込まれを未然に防止することができる。この時、柔らかい弾性体で構成された第１引き込まれ認知体１０と手が接触しても怪我することがない。更に手が引き込まれた状態では、図４に示すように、Ｌ字状の乗場側第１引き込まれ認知体１０が押されて大きく変形して、内部に隠蔽されている剛性のある乗場三方枠５の引込み面５ｄに手が突き当ることになるので、乗客に手が引き込まれたことを次の段階として認知させることができ、ここで手を抜こうとする動作を再度促すことにより、機械的又は電気的な検出器や光電スイッチ等に頼らず自力で引き込まれを二段構えによって未然に防止することができる。ここで、引き込まれた手は、柔らかい弾性体で構成された第１引き込まれ認知体１０、即ち反乗場の戸側のスペースに移動できるので、可動する乗場の戸を変位させる力を発生することがなく、引き込まれるスペースを拡大することがないため、引き込まれを減少させることができる。
【００１７】
実施の形態２．
図５はこの発明の実施の形態２におけるエレベータのドア装置の構造を示す要部拡大断面図、図６はこの発明の実施の形態２におけるエレベータのドア装置の戸開時の引き込まれ初期の状態を示す要部拡大断面図、図７はこの発明の実施の形態２におけるエレベータのドア装置の戸開時の引き込まれた状態を示す要部拡大断面図である。なお、図中、実施の形態１と同一又は相当部分には同一符号を付して説明を省略する。
【００１８】
図において、１１は乗場側引き込まれ認知用空間部９を形成する乗場三方枠５の引込み面５ｃに取付部が戸の開方向に移動可能に取り付けられ、乗場側引き込まれ認知用空間部９の乗場出入口４面全体を覆うように設けられたコ字状の乗場側第１引き込まれ認知体、１２はコ字状の乗場側第１引き込まれ認知体１１の取付部端側と一体に設けられ、乗場三方枠５の引込み面５ｄに倒れかかった形状で弾圧的に接触しながら乗場の戸６側に向かって延びている乗場側第２引き込まれ認知体である。この乗場側第１引き込まれ認知体１１及び乗場側第２引き込まれ認知体１２は、容易に変形する弾性体で構成され、乗場側第２引き込まれ認知体１２は、乗場側第１引き込まれ認知体１１と一体で構成され、連動して移動・変形するように構成されている。乗場側第１引き込まれ認知体１１の取付部には長穴１１ａが設けられ、段付きボルト及びナットからなる締結具１３により取り付けられて図５の位置から図６の位置まで開方向に移動可能になっている。なお、ここでは、乗場側引き込まれ認知用空間部９に乗場側第１引き込まれ認知体１１及び乗場側第２引き込まれ認知体１２を設けた場合について説明したが、かご側引き込まれ認知用空間部７にも、同様の構成のかご側第１引き込まれ認知体及びかご側第２引き込まれ認知体が設けられていることは勿論である。
【００１９】
次に、この発明のエレベータのドア装置による戸開時の引き込まれ防止動作について、図５〜図７により説明する。なお、ここでは、乗場の戸６と乗場三方枠５の間に手が引き込まれる場合について説明するが、かごの戸３とかご出入口柱２の間に手が引き込まれる場合も同様である。
図５に示すように乗場の戸６に手を当てたまま乗場の戸６が開方向に移動すると、やがて乗場の戸６と乗場三方枠５の間に手が引き込まれ、図６に示すように、先ず乗場側第１引き込まれ認知体１１と手が接触し、乗場側第１引き込まれ認知体１１が乗場の戸６の開方向に移動する。この移動する間に乗客に手が引き込まれたことを初期段階として認知させることができ、ここで手を抜ことする動作を促すことにより、機械的又は電気的な検出器や光電スイッチ等に頼らず自力で引き込まれを未然に防止することができる。乗場側第１引き込まれ認知体１１が更に押し込まれると、乗場側第２引き込まれ認知体１２が乗場三方枠５の引込み面５ｄに押されてその弾圧力で先端部が乗場の戸６側に延びるように変位して、乗場三方枠５と乗場の戸６の隙間を塞ぐことになり、引き込まれるスペースを無くす。更に乗場側第１引き込まれ認知体１１が押し込まれると、図７に示すように、乗場側第１引き込まれ認知体１１が倒れて変形することで、乗場側第２引き込まれ認知体１２に手が突き当ることになる。これにより、乗客に手が引き込まれたことを次の段階として認知させることができ、ここで手を抜こうとする動作を更に促すことにより、機械的又は電気的な検出器や光電スイッチ等に頼らず自力で引き込まれを二段構えによって未然に防止することができる。ここで、引き込まれた手は、柔らかい弾性体で構成された第１引き込まれ認知体１１及び第２引き込まれ認知体１２に接触するので、接触した手を怪我させることがない。
【００２０】
実施の形態３．
図８はこの発明の実施の形態３におけるエレベータのドア装置を備えたエレベータ装置の横断面図である。なお、図中、実施の形態１と同一又は相当部分には同一符号を付して説明を省略する。
【００２１】
この実施の形態３においては、既設エレベータ装置のかご出入口柱２のかご出入口側の面２ｂの反かごの戸３側及び既設エレベータの乗場三方枠５の乗場出入口４側の面５ｂの反乗場の戸６側にそれぞれ後付けにより、かご側引き込まれ認知用空間部７及び乗場側引き込まれ認知用空間部９を形成するための台形の追加部材１３、１４を設けたものである。そして、Ｌ字状のかご側第１引き込まれ認知体８は、かご側引き込まれ認知用空間部７を形成するための台形の追加部材１３に取り付けられ、Ｌ字状の乗場側第１引き込まれ認知体１０は、乗場側引き込まれ認知用空間部９を形成するための台形の追加部材１４に取り付けられる。
【００２２】
この実施の形態３によれば、既設のエレベータのドア装置において、追加部材、かご側第１引き込まれ認知体及び乗場側第１引き込まれ認知体を追加設置するだけで、実施の形態１とほぼ同様の効果を得ることができる。なお、出入口の幅が多少狭まるが、設備の大幅な変更工事を実施せずに安全なドア装置を実現することができる。
【図面の簡単な説明】
【００２３】
【図１】この発明の実施の形態１におけるエレベータのドア装置を備えたエレベータ装置を乗場側から見た正面図である。
【図２】この発明の実施の形態１におけるエレベータのドア装置を備えたエレベータ装置の横断面図である。
【図３】この発明の実施の形態１におけるエレベータのドア装置の戸開時の引き込まれ初期の状態を示す要部拡大断面図である。
【図４】この発明の実施の形態１におけるエレベータのドア装置の戸開時の引き込まれた状態を示す要部拡大断面図である。
【図５】この発明の実施の形態２におけるエレベータのドア装置の構造を示す要部拡大断面図である。
【図６】この発明の実施の形態２におけるエレベータのドア装置の戸開時の引き込まれ初期の状態を示す要部拡大断面図である。
【図７】この発明の実施の形態２におけるエレベータのドア装置の戸開時の引き込まれた状態を示す要部拡大断面図である。
【図８】この発明の実施の形態３におけるエレベータのドア装置を備えたエレベータ装置の横断面図である。
【図９】従来のエレベータのドア装置を備えたエレベータ装置を乗場側から見た正面図である。
【図１０】従来のエレベータのドア装置の戸開時の引き込まれ初期の状態を示す要部拡大断面図である。
【図１１】従来のエレベータのドア装置の戸開時の引き込まれた状態を示す要部拡大断面図である。
【符号の説明】
【００２４】
１  エレベータのかご
２  かご出入口柱
２ａ  かご出入口柱のかごの戸側の面
２ｂ  かご出入口柱のかご出入口側の面
２ｃ  かご出入口柱の引込み面
２ｄ  かご出入口柱の引込み面
３  かごの戸
４  乗場出入口
５  乗場三方枠
５ａ  乗場三方枠の乗場の戸側の面
５ｂ  乗場三方枠の乗場出入口側の面
５ｃ  乗場三方枠の引込み面
５ｄ  乗場三方枠の引込み面
６  乗場の戸
７  かご側引き込まれ認知用空間部
８  かご側第１引き込まれ認知体
９  乗場側引き込まれ認知用空間部
１０  乗場側第１引き込まれ認知体
１１  乗場側第１引き込まれ認知体
１１ａ  長穴
１２  乗場側第２引き込まれ認知体
１３  締結具
１４、１５  追加部材
【図１】
2010105800.tif 000003
【図２】
2010105800.tif 000004
【図３】
2010105800.tif 000005
【図４】
2010105800.tif 000006
【図５】
2010105800.tif 000007
【図６】
2010105800.tif 000008
【図７】
2010105800.tif 000009
【図８】
2010105800.tif 000010
【図９】
2010105800.tif 000011
【図１０】
2010105800.tif 000012
【図１１】
2010105800.tif 000013